(57)【要約】  本発明はデータ伝送方法、ネットワーク装置及び端末装置を開示する。該方法は、ネットワーク装置は前記データを伝送するためのヌメロロジーを決定し、且つ前記データを伝送するためのターゲットバンドを決定し、前記ターゲットバンドは前記データを伝送するための伝送バンド及びガードバンドを含むステップと、前記ネットワーク装置は前記ヌメロロジー及び前記ターゲットバンドの情報を含む設定情報を前記端末装置に送信するステップと、前記ネットワーク装置は前記ヌメロロジーに基づき、前記伝送バンドで前記端末装置の送信した前記データを受信し又は前記端末装置に前記データを送信するステップと、を含む。従って、本発明に記載の方法、ネットワーク装置及び端末装置によれば、伝送リソースにガードバンドを設定することで、異なるヌメロロジーに基づくデータ伝送の間の相互干渉を回避する。
2019530993.tif 000002
【特許請求の範囲】
【請求項１】
データ伝送方法であって、
ネットワーク装置は、データを伝送するためのヌメロロジーを決定し、且つ前記データを伝送するためのターゲットバンドを決定し、前記ターゲットバンドは前記データを伝送するための伝送バンド及びガードバンドを含むステップと、
前記ネットワーク装置は、前記ヌメロロジー及び前記ターゲットバンドの情報を含む設定情報を端末装置に送信するステップと、
前記ネットワーク装置は、前記ヌメロロジーに基づき、前記伝送バンドで前記端末装置の送信した前記データを受信し又は前記端末装置に前記データを送信するステップと、を含むことを特徴とするデータ伝送方法。
【請求項２】
前記ターゲットバンドの情報は前記ターゲットバンドの開始位置と終了位置、前記ガードバンドの帯域幅、及び前記ターゲットバンドにおける前記ガードバンドの位置を含むことを特徴とする請求項１に記載の方法。
【請求項３】
前記ターゲットバンドの情報は前記ターゲットバンドの開始位置と終了位置、及び前記ガードバンドの開始位置と終了位置を含むことを特徴とする請求項１に記載の方法。
【請求項４】
前記ターゲットバンドにおける前記ガードバンドの位置は、前記ガードバンドが前記ターゲットバンドの低周波側及び／又は高周波側に位置することを含むことを特徴とする請求項２又は３に記載の方法。
【請求項５】
前記ガードバンドの帯域幅は前記ネットワーク装置がサポートする最小サブキャリア間隔の整数倍であることを特徴とする請求項１〜４のいずれか一項に記載の方法。
【請求項６】
前記設定情報は前記ヌメロロジーに対応するフィルタリング方式をさらに含み、前記ネットワーク装置が前記端末装置に設定情報を送信する前、
前記ネットワーク装置は前記ヌメロロジーに対応する前記フィルタリング方式を決定するステップをさらに含むことを特徴とする請求項１〜５のいずれか一項に記載の方法。
【請求項７】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項６に記載の方法。
【請求項８】
前記ヌメロロジーはサブキャリア間隔を含むことを特徴とする請求項１〜７のいずれか一項に記載の方法。
【請求項９】
前記ネットワーク装置が前記データを伝送するためのヌメロロジーを決定することは、
前記ネットワーク装置は予め定義された複数のヌメロロジーのうち前記データを伝送するための前記ヌメロロジーを決定するステップを含むことを特徴とする請求項１〜８のいずれか一項に記載の方法。
【請求項１０】
データ伝送方法であって、
端末装置は、ネットワーク装置の送信した設定情報を受信し、前記設定情報はデータを伝送するためのヌメロロジー及びターゲットバンドの情報を含み、前記ターゲットバンドは前記データを伝送するための伝送バンド及びガードバンドを含むステップと、
前記端末装置は、前記ヌメロロジーに基づき、前記伝送バンドで前記ネットワーク装置に前記データを送信し又は前記ネットワーク装置の送信した前記データを受信するステップと、を含むことを特徴とするデータ伝送方法。
【請求項１１】
前記ターゲットバンドの情報は前記ターゲットバンドの開始位置と終了位置、前記ガードバンドの帯域幅、及び前記ターゲットバンドにおける前記ガードバンドの位置を含むことを特徴とする請求項１０に記載の方法。
【請求項１２】
前記ターゲットバンドの情報は前記ターゲットバンドの開始位置と終了位置、及び前記ガードバンドの開始位置と終了位置を含むことを特徴とする請求項１０に記載の方法。
【請求項１３】
前記ターゲットバンドにおける前記ガードバンドの位置は、前記ガードバンドが前記ターゲットバンドの低周波側及び／又は高周波側に位置することを含むことを特徴とする請求項１１又は１２に記載の方法。
【請求項１４】
前記ガードバンドの帯域幅は前記ネットワーク装置がサポートする最小サブキャリア間隔の整数倍であることを特徴とする請求項１０〜１３のいずれか一項に記載の方法。
【請求項１５】
前記設定情報は前記ヌメロロジーに対応するフィルタリング方式をさらに含み、前記端末装置が前記ヌメロロジーに基づき、前記伝送バンドで前記ネットワーク装置に前記データを送信し又は前記ネットワーク装置の送信した前記データを受信することは、
前記端末装置は前記フィルタリング方式に基づき前記データを処理し、且つ前記ヌメロロジーに基づき、前記ターゲットバンドで前記ネットワーク装置に処理済みの前記データを送信するステップ、又は
前記端末装置は前記ヌメロロジーに基づき、前記ネットワーク装置の送信した前記データを受信し、且つ前記フィルタリング方式に基づき、受信した前記データを処理するステップを含むことを特徴とする請求項１０〜１４のいずれか一項に記載の方法。
【請求項１６】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項１５に記載の方法。
【請求項１７】
前記ヌメロロジーはサブキャリア間隔を含むことを特徴とする請求項１０〜１６のいずれか一項に記載の方法。
【請求項１８】
データ伝送方法であって、
ネットワーク装置は、データを伝送するためのヌメロロジー、前記データを伝送するための伝送バンド、及び前記ヌメロロジーに対応するフィルタリング方式を決定するステップと、
前記ネットワーク装置は、前記ヌメロロジー、前記伝送バンド及び前記フィルタリング方式を含む設定情報を端末装置に送信するステップと、
前記ネットワーク装置は、前記ヌメロロジーに基づき、前記伝送バンドで前記端末装置の送信した前記データを受信し又は前記端末装置に前記データを送信するステップと、を含むことを特徴とするデータ伝送方法。
【請求項１９】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項１８に記載の方法。
【請求項２０】
前記ヌメロロジーはサブキャリア間隔を含むことを特徴とする請求項１８又は１９に記載の方法。
【請求項２１】
前記ネットワーク装置が前記データを伝送するためのヌメロロジーを決定することは、
前記ネットワーク装置は予め定義された複数のヌメロロジーのうち前記データを伝送するための前記ヌメロロジーを決定するステップを含むことを特徴とする請求項１８〜２０のいずれか一項に記載の方法。
【請求項２２】
データ伝送方法であって、
端末装置は、ネットワーク装置の送信した、データを伝送するためのヌメロロジー、前記データを伝送するための伝送バンド、及び前記ヌメロロジーに対応するフィルタリング方式を含む設定情報を受信するステップと、
前記端末装置は前記フィルタリング方式に基づき前記データを処理し、且つ前記ヌメロロジーに基づき、ターゲットバンドで前記ネットワーク装置に処理済みの前記データを送信するステップ、又は
前記端末装置は前記ヌメロロジーに基づき、前記ネットワーク装置の送信した前記データを受信し、且つ前記フィルタリング方式に基づき、受信した前記データを処理するステップと、を含むことを特徴とするデータ伝送方法。
【請求項２３】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項２２に記載の方法。
【請求項２４】
前記ヌメロロジーはサブキャリア間隔を含むことを特徴とする請求項２２又は２３に記載の方法。
【請求項２５】
データを伝送するためのヌメロロジーを決定し、且つ前記データを伝送するためのターゲットバンドを決定し、前記ターゲットバンドは前記データを伝送するための伝送バンド及びガードバンドを含む決定モジュールと、
前記決定モジュールにより決定された、前記ヌメロロジー及び前記ターゲットバンドの情報を含む設定情報を端末装置に送信する伝送モジュールと、を備え、
前記伝送モジュールはさらに、前記決定モジュールにより決定された前記ヌメロロジーに基づき、前記決定モジュールにより決定された前記伝送バンドで前記端末装置の送信した前記データを受信し又は前記端末装置に前記データを送信することを特徴とするネットワーク装置。
【請求項２６】
前記ターゲットバンドの情報は前記ターゲットバンドの開始位置と終了位置、前記ガードバンドの帯域幅、及び前記ターゲットバンドにおける前記ガードバンドの位置を含むことを特徴とする請求項２５に記載のネットワーク装置。
【請求項２７】
前記ターゲットバンドの情報は前記ターゲットバンドの開始位置と終了位置、及び前記ガードバンドの開始位置と終了位置を含むことを特徴とする請求項２５に記載のネットワーク装置。
【請求項２８】
前記ターゲットバンドにおける前記ガードバンドの位置は、前記ガードバンドが前記ターゲットバンドの低周波側及び／又は高周波側に位置することを含むことを特徴とする請求項２６又は２７に記載のネットワーク装置。
【請求項２９】
前記ガードバンドの帯域幅は前記ネットワーク装置がサポートする最小サブキャリア間隔の整数倍であることを特徴とする請求項２５〜２８のいずれか一項に記載のネットワーク装置。
【請求項３０】
前記設定情報は前記ヌメロロジーに対応するフィルタリング方式をさらに含み、前記伝送モジュールが前記端末装置に設定情報を送信する前、前記決定モジュールはさらに、
前記ヌメロロジーに対応する前記フィルタリング方式を決定することを特徴とする請求項２５〜２９のいずれか一項に記載のネットワーク装置。
【請求項３１】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項３０に記載のネットワーク装置。
【請求項３２】
前記ヌメロロジーはサブキャリア間隔を含むことを特徴とする請求項２５〜３１のいずれか一項に記載のネットワーク装置。
【請求項３３】
前記決定モジュールは具体的には、
予め定義された複数のヌメロロジーのうち前記データを伝送するための前記ヌメロロジーを決定することを特徴とする請求項２５〜３２のいずれか一項に記載のネットワーク装置。
【請求項３４】
伝送モジュールを備え、
伝送モジュールは、ネットワーク装置の送信した設定情報を受信し、前記設定情報はデータを伝送するためのヌメロロジー及びターゲットバンドの情報を含み、前記ターゲットバンドは前記データを伝送するための伝送バンド及びガードバンドを含み、
前記伝送モジュールはさらに、前記ヌメロロジーに基づき、前記伝送バンドで前記ネットワーク装置に前記データを送信し又は前記ネットワーク装置の送信した前記データを受信することを特徴とする端末装置。
【請求項３５】
前記ターゲットバンドの情報は前記ターゲットバンドの開始位置と終了位置、前記ガードバンドの帯域幅、及び前記ターゲットバンドにおける前記ガードバンドの位置を含むことを特徴とする請求項３４に記載の端末装置。
【請求項３６】
前記ターゲットバンドの情報は前記ターゲットバンドの開始位置と終了位置、及び前記ガードバンドの開始位置と終了位置を含むことを特徴とする請求項３４に記載の端末装置。
【請求項３７】
前記ターゲットバンドにおける前記ガードバンドの位置は、前記ガードバンドが前記ターゲットバンドの低周波側及び／又は高周波側に位置することを含むことを特徴とする請求項３５又は３６に記載の端末装置。
【請求項３８】
前記ガードバンドの帯域幅は前記ネットワーク装置がサポートする最小サブキャリア間隔の整数倍であることを特徴とする請求項３４〜３７のいずれか一項に記載の端末装置。
【請求項３９】
前記設定情報は前記ヌメロロジーに対応するフィルタリング方式をさらに含み、前記伝送モジュールは具体的には、
前記フィルタリング方式に基づき前記データを処理し、且つ前記ヌメロロジーに基づき、前記ターゲットバンドで前記ネットワーク装置に処理済みの前記データを送信し、又は
前記ヌメロロジーに基づき、前記ネットワーク装置の送信した前記データを受信し、且つ前記フィルタリング方式に基づき、受信した前記データを処理することを特徴とする請求項３４〜３８のいずれか一項に記載の端末装置。
【請求項４０】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項３９に記載の端末装置。
【請求項４１】
前記ヌメロロジーはサブキャリア間隔を含むことを特徴とする請求項３４〜４０のいずれか一項に記載の端末装置。
【請求項４２】
データを伝送するためのヌメロロジー、前記データを伝送するための伝送バンド、及び前記ヌメロロジーに対応するフィルタリング方式を決定する決定モジュールと、
前記ヌメロロジー、前記伝送バンド及び前記フィルタリング方式を含む設定情報を端末装置に送信する伝送モジュールと、を備え、
前記伝送モジュールはさらに、前記ヌメロロジーに基づき、前記伝送バンドで前記端末装置の送信した前記データを受信し又は前記端末装置に前記データを送信することを特徴とするネットワーク装置。
【請求項４３】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項４２に記載のネットワーク装置。
【請求項４４】
前記ヌメロロジーはサブキャリア間隔を含むことを特徴とする請求項４２又は４３に記載のネットワーク装置。
【請求項４５】
前記決定モジュールは具体的には、
予め定義された複数のヌメロロジーのうち前記データを伝送するための前記ヌメロロジーを決定することを特徴とする請求項４２〜４４のいずれか一項に記載のネットワーク装置。
【請求項４６】
伝送モジュールを備え、
伝送モジュールは、ネットワーク装置の送信した、データを伝送するためのヌメロロジー、前記データを伝送するための伝送バンド、及び前記ヌメロロジーに対応するフィルタリング方式を含む設定情報を受信し、
前記伝送モジュールはさらに、前記フィルタリング方式に基づき前記データを処理し、且つ前記ヌメロロジーに基づき、ターゲットバンドで前記ネットワーク装置に処理済みの前記データを送信し、又は
前記ヌメロロジーに基づき、前記ネットワーク装置の送信した前記データを受信し、且つ前記フィルタリング方式に基づき、受信した前記データを処理することを特徴とする端末装置。
【請求項４７】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項４６に記載の端末装置。
【請求項４８】
前記ヌメロロジーはサブキャリア間隔を含むことを特徴とする請求項４６又は４７に記載の端末装置。
【発明の詳細な説明】
【技術分野】
【０００１】
本発明は通信分野に関し、より具体的には、データ伝送方法、ネットワーク装置及び端末装置に関する。
【背景技術】
【０００２】
第５世代移動通信（５Ｇ）技術では、ユーザー機器（Ｕｓｅｒ  Ｅｑｕｉｐｍｅｎｔ、「ＵＥ」と略称する）は１つのキャリア内で複数種の異なるヌメロロジー（ｎｕｍｅｒｏｌｏｇｙ）をサポートできる。これら異なるヌメロロジーは周波数分割多重化（Ｆｒｅｑｕｅｎｃｙ  Ｄｉｖｉｓｉｏｎ  Ｍｕｌｔｉｐｌｅｘ、「ＦＤＭ」と略称する）の方式によって多重化できる。同一伝送時間間隔（Ｔｒａｎｓｍｉｓｓｉｏｎ  Ｔｉｍｅ  Ｉｎｔｅｒｖａｌ、「ＴＴＩ」と略称する）内に、異なる周波数領域リソースを、異なるヌメロロジーに基づくデータ伝送に割り当てて使用できる。たとえば、ロングタームエボリューション（Ｌｏｎｇ  Ｔｅｒｍ  Ｅｖｏｌｕｔｉｏｎ、「ＬＴＥ」と略称する）システムにとって、サブキャリア（ｓｕｂｃａｒｒｉｅｒ）帯域幅は１５ｋＨｚ、シンボル（ｓｙｍｂｏｌ）幅は１／１４ｍｓである。５Ｇ通信システムと４Ｇ通信システムとの最大相違点として、５Ｇシステムは異なるヌメロロジーに基づくデータ伝送をサポートでき、５Ｇ端末も異なるヌメロロジーに基づくデータ伝送をサポートでき、たとえば、現在の５Ｇシステムのサブキャリア帯域幅は１５＊２ｎＨｚ（ｎは非負の整数）である。
【０００３】
異なるヌメロロジーに基づくデータ伝送は異なるバンド（ｂａｎｄ）に位置してもよいが、５Ｇシステムの柔軟性低下を招き、異なるヌメロロジーの多重化によって５Ｇシステムに最大限の柔軟性をもたらすことができるが、異なるヌメロロジーを多重化する時、異なるヌメロロジーに基づくデータ伝送の伝送プロセス間に相互干渉が発生する恐れがある。
【発明の概要】
【発明が解決しようとする課題】
【０００４】
本発明の実施例は、異なるヌメロロジーに基づくデータ伝送の間の相互干渉を回避できるデータ伝送方法、端末装置及びネットワーク装置を提供する。
【課題を解決するための手段】
【０００５】
第１態様によれば、データ伝送方法を提供し、ネットワーク装置は、前記データを伝送するためのヌメロロジーを決定し、且つ前記データを伝送するためのターゲットバンドを決定し、前記ターゲットバンドは前記データを伝送するための伝送バンド及びガードバンドを含むステップと、前記ネットワーク装置は、前記ヌメロロジー及び前記ターゲットバンドの情報を含む設定情報を前記端末装置に送信するステップと、前記ネットワーク装置は、前記ヌメロロジーに基づき、前記伝送バンドで前記端末装置の送信した前記データを受信し又は前記端末装置に前記データを送信するステップと、を含む。
【０００６】
従って、本発明の実施例に係る方法によれば、端末装置のために設定された伝送リソースにガードバンドを設定することで、異なるヌメロロジーに基づくデータ伝送の間の相互干渉を回避する。
【０００７】
該ガードバンドの高周波側と低周波側はそれぞれ異なるヌメロロジーに基づき伝送されるデータに使用される伝送バンドと隣接し、該端末装置は該ガードバンドで前記データを送受信しない。
【０００８】
別の実施例として、前記ターゲットバンドの情報は前記ターゲットバンドの開始位置と終了位置、前記ガードバンドの帯域幅、及び前記ターゲットバンドにおける前記ガードバンドの位置を含む。
【０００９】
別の実施例として、前記ターゲットバンドの情報は前記ターゲットバンドの開始位置と終了位置、及び前記ガードバンドの開始位置と終了位置を含む。
【００１０】
別の実施例として、前記ターゲットバンドにおける前記ガードバンドの位置は、前記ガードバンドが前記ターゲットバンドの低周波側及び／又は高周波側に位置することを含む。
【００１１】
別の実施例として、前記ガードバンドの帯域幅は前記ネットワーク装置がサポートする最小サブキャリア間隔の整数倍である。
【００１２】
別の実施例として、前記設定情報は前記ヌメロロジーに対応するフィルタリング方式をさらに含み、前記ネットワーク装置が前記端末装置に設定情報を送信する前、前記方法は、前記ネットワーク装置が前記ヌメロロジーに対応する前記フィルタリング方式を決定するステップをさらに含む。
【００１３】
別の実施例として、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【００１４】
別の実施例として、前記ヌメロロジーはサブキャリア間隔を含む。
【００１５】
別の実施例として、前記ネットワーク装置が前記データを伝送するためのヌメロロジーを決定することは、前記ネットワーク装置が予め定義された複数のヌメロロジーのうち前記データを伝送するための前記ヌメロロジーを決定するステップを含む。
【００１６】
第２態様によれば、ネットワーク装置を提供し、該ネットワーク装置は上記第１態様及び種々の実施形態に係るデータ伝送方法のネットワーク装置によって実行される各プロセスを実行することに適用できる。該ネットワーク装置は、前記データを伝送するためのヌメロロジーを決定し、且つ前記データを伝送するためのターゲットバンドを決定し、前記ターゲットバンドは前記データを伝送するための伝送バンド及びガードバンドを含む決定モジュールと、前記決定モジュールにより決定された、前記ヌメロロジー及び前記ターゲットバンドの情報を含む前記設定情報を前記端末装置に送信する伝送モジュールと、を備え、前記伝送モジュールはさらに、前記決定モジュールにより決定された前記ヌメロロジーに基づき、前記決定モジュールにより決定された前記伝送バンドで前記端末装置の送信した前記データを受信し又は前記端末装置に前記データを送信する。
【００１７】
第３態様によれば、ネットワーク装置を提供し、該ネットワーク装置は上記第１態様及び種々の実施形態に係るデータ伝送方法の端末装置によって実行される各プロセスを実行することに適用できる。該ネットワーク装置は、前記データを伝送するためのヌメロロジーを決定し、且つ前記データを伝送するためのターゲットバンドを決定し、前記ターゲットバンドは前記データを伝送するための伝送バンド及びガードバンドを含むプロセッサと、前記決定モジュールにより決定された、前記ヌメロロジー及び前記ターゲットバンドの情報を含む前記設定情報を前記端末装置に送信する送受信機と、を備え、送受信機はさらに、前記決定モジュールにより決定された前記ヌメロロジーに基づき、前記決定モジュールにより決定された前記伝送バンドで前記端末装置の送信した前記データを受信し又は前記端末装置に前記データを送信する。
【００１８】
第４態様によれば、データ伝送方法を提供し、端末装置は、ネットワーク装置の送信した設定情報を受信し、前記設定情報は前記データを伝送するためのヌメロロジー及びターゲットバンドの情報を含み、前記ターゲットバンドは前記データを伝送するための伝送バンド及びガードバンドを含むステップと、前記端末装置は、前記ヌメロロジーに基づき、前記伝送バンドで前記ネットワーク装置に前記データを送信し又は前記ネットワーク装置の送信した前記データを受信するステップと、を含む。
【００１９】
従って、本発明の実施例に係る方法によれば、伝送リソースにガードバンドを設定することで、異なるヌメロロジーに基づくデータ伝送の間の相互干渉を回避する。
【００２０】
該ガードバンドの高周波側と低周波側はそれぞれ異なるヌメロロジーに基づき伝送されるデータに使用される伝送バンドと隣接し、該端末装置は該ガードバンドで該データを送受信しない。
【００２１】
別の実施例として、前記ターゲットバンドの情報は前記ターゲットバンドの開始位置と終了位置、前記ガードバンドの帯域幅、及び前記ターゲットバンドにおける前記ガードバンドの位置を含む。
【００２２】
別の実施例として、前記ターゲットバンドの情報は前記ターゲットバンドの開始位置と終了位置、及び前記ガードバンドの開始位置と終了位置を含む。
【００２３】
別の実施例として、前記ターゲットバンドにおける前記ガードバンドの位置は、前記ガードバンドが前記ターゲットバンドの低周波側及び／又は高周波側に位置することを含む。
【００２４】
別の実施例として、前記ガードバンドの帯域幅は前記ネットワーク装置がサポートする最小サブキャリア間隔の整数倍である。
【００２５】
別の実施例として、前記設定情報は前記ヌメロロジーに対応するフィルタリング方式をさらに含み、前記端末装置が前記ヌメロロジーに基づき、前記伝送バンドで前記ネットワーク装置に前記データを送信し又は前記ネットワーク装置の送信した前記データを受信することは、前記端末装置は前記フィルタリング方式に基づき前記データを処理し、且つ前記ヌメロロジーに基づき、前記ターゲットバンドで前記ネットワーク装置に処理済みの前記データを送信するステップ、又は前記端末装置は前記ヌメロロジーに基づき、前記ネットワーク装置の送信した前記データを受信し、且つ前記フィルタリング方式に基づき、受信した前記データを処理するステップを含む。
【００２６】
別の実施例として、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【００２７】
別の実施例として、前記ヌメロロジーはサブキャリア間隔を含む。
【００２８】
第５態様によれば、端末装置を提供し、該端末装置は上記第４態様及び種々の実施形態に係るデータ伝送方法の端末装置によって実行される各プロセスを実行することに適用できる。該端末装置は伝送モジュールを備え、伝送モジュールは、ネットワーク装置の送信した設定情報を受信し、前記設定情報は前記データを伝送するためのヌメロロジー及びターゲットバンドの情報を含み、前記ターゲットバンドは前記データを伝送するための伝送バンド及びガードバンドを含み、前記ヌメロロジーに基づき、前記伝送バンドで前記ネットワーク装置に前記データを送信し又は前記ネットワーク装置の送信した前記データを受信する。
【００２９】
第６態様によれば、端末装置を提供し、該端末装置は上記第４態様及び種々の実施形態に係るデータ伝送方法の端末装置によって実行される各プロセスを実行することに適用できる。該端末装置は送受信機を備え、送受信機は、ネットワーク装置の送信した設定情報を受信し、前記設定情報は前記データを伝送するためのヌメロロジー及びターゲットバンドの情報を含み、前記ターゲットバンドは前記データを伝送するための伝送バンド及びガードバンドを含み、前記ヌメロロジーに基づき、前記伝送バンドで前記ネットワーク装置に前記データを送信し又は前記ネットワーク装置の送信した前記データを受信する。
【００３０】
第７態様によれば、データ伝送方法を提供し、ネットワーク装置は、前記データを伝送するためのヌメロロジー、前記データを伝送するための伝送バンド、及び前記ヌメロロジーに対応するフィルタリング方式を決定するステップと、前記ネットワーク装置は、前記ヌメロロジー、前記伝送バンド及び前記フィルタリング方式を含む設定情報を端末装置に送信するステップと、前記ネットワーク装置は、前記ヌメロロジーに基づき、前記伝送バンドで前記端末装置の送信した前記データを受信し又は前記端末装置に前記データを送信するステップと、を含む。
【００３１】
従って、異なるヌメロロジーに基づき伝送されるデータを異なるフィルタリング方式で処理することで、異なるヌメロロジーに基づくデータ伝送の間の相互干渉を軽減できる。
【００３２】
別の実施例として、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【００３３】
別の実施例として、前記ヌメロロジーはサブキャリア間隔を含む。
【００３４】
別の実施例として、前記ネットワーク装置が前記データを伝送するためのヌメロロジーを決定することは、前記ネットワーク装置は予め定義された複数のヌメロロジーのうち前記データを伝送するための前記ヌメロロジーを決定するステップを含む。
【００３５】
第８態様によれば、ネットワーク装置を提供し、該ネットワーク装置は上記第７態様及び種々の実施形態に係るデータ伝送方法のネットワーク装置によって実行される各プロセスを実行することに適用できる。該ネットワーク装置は、前記データを伝送するためのヌメロロジー、前記データを伝送するための伝送バンド、及び前記ヌメロロジーに対応するフィルタリング方式を決定する決定モジュールと、前記ヌメロロジー、前記伝送バンド及び前記フィルタリング方式を含む設定情報を端末装置に送信する伝送モジュールと、を備え、前記伝送モジュールはさらに、前記ヌメロロジーに基づき、前記伝送バンドで前記端末装置の送信した前記データを受信し又は前記端末装置に前記データを送信する。
【００３６】
第９態様によれば、ネットワーク装置を提供し、該ネットワーク装置は上記第７態様及び種々の実施形態に係るデータ伝送方法の端末装置によって実行される各プロセスを実行することに適用できる。該ネットワーク装置は、前記データを伝送するためのヌメロロジー、前記データを伝送するための伝送バンド、及び前記ヌメロロジーに対応するフィルタリング方式を決定するプロセッサと、前記ヌメロロジー、前記伝送バンド及び前記フィルタリング方式を含む設定情報を端末装置に送信する送受信機と、を備え、前記送受信機はさらに、前記ヌメロロジーに基づき、前記伝送バンドで前記端末装置の送信した前記データを受信し又は前記端末装置に前記データを送信する。
【００３７】
第１０態様によれば、データ伝送方法を提供し、端末装置は、ネットワーク装置の送信した設定情報を受信し、前記設定情報は前記データを伝送するためのヌメロロジー、前記データを伝送するための伝送バンド、及び前記ヌメロロジーに対応するフィルタリング方式を含むステップ、前記端末装置は前記フィルタリング方式に基づき前記データを処理し、且つ前記ヌメロロジーに基づき、前記ターゲットバンドで前記ネットワーク装置に処理済みの前記データを送信するステップ、又は前記端末装置は前記ヌメロロジーに基づき、前記ネットワーク装置の送信した前記データを受信し、且つ前記フィルタリング方式に基づき、受信した前記データを処理するステップ、を含む。
【００３８】
従って、異なるヌメロロジーに基づき伝送されるデータを異なるフィルタリング方式で処理することで、異なるヌメロロジーに基づくデータ伝送の間の相互干渉を軽減できる。
【００３９】
別の実施例として、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【００４０】
別の実施例として、前記ヌメロロジーはサブキャリア間隔を含む。
【００４１】
第１１態様によれば、端末装置を提供し、該端末装置は上記第１０態様及び種々の実施形態に係るデータ伝送方法の端末装置によって実行される各プロセスを実行することに適用できる。該端末装置は伝送モジュールを備え、伝送モジュールは、ネットワーク装置の送信した設定情報を受信し、前記設定情報は前記データを伝送するためのヌメロロジー、前記データを伝送するための伝送バンド、及び前記ヌメロロジーに対応するフィルタリング方式を含み、前記フィルタリング方式に基づき前記データを処理し、且つ前記ヌメロロジーに基づき、前記ターゲットバンドで前記ネットワーク装置に処理済みの前記データを送信し、又は前記ヌメロロジーに基づき、前記ネットワーク装置の送信した前記データを受信し、且つ前記フィルタリング方式に基づき、受信した前記データを処理する。
【００４２】
第１２態様によれば、端末装置を提供し、該端装置は上記第１０態様及び種々の実施形態に係るデータ伝送方法の端末装置によって実行される各プロセスを実行することに適用できる。該端末装置は送受信機を備え、送受信機は、ネットワーク装置の送信した設定情報を受信し、前記設定情報は前記データを伝送するためのヌメロロジー、前記データを伝送するための伝送バンド、及び前記ヌメロロジーに対応するフィルタリング方式を含み、前記フィルタリング方式に基づき前記データを処理し、且つ前記ヌメロロジーに基づき、前記ターゲットバンドで前記ネットワーク装置に処理済みの前記データを送信し、又は前記ヌメロロジーに基づき、前記ネットワーク装置の送信した前記データを受信し、且つ前記フィルタリング方式に基づき、受信した前記データを処理する。
【００４３】
第１３態様によれば、コンピュータ可読記憶媒体を提供し、前記コンピュータ可読記憶媒体にプログラムが記憶され、前記プログラムはネットワーク装置に上記第１態様、及びその種々の実施形態のいずれかに記載のデータ伝送方法を実行させる。
【００４４】
第１４態様によれば、コンピュータ可読記憶媒体を提供し、前記コンピュータ可読記憶媒体にプログラムが記憶され、前記プログラムは端末装置に上記第４態様、及びその種々の実施形態のいずれかに記載のデータ伝送方法を実行させる。
【００４５】
第１５態様によれば、コンピュータ可読記憶媒体を提供し、前記コンピュータ可読記憶媒体にプログラムが記憶され、前記プログラムはネットワーク装置に上記第７態様、及びその種々の実施形態のいずれかに記載のデータ伝送方法を実行させる。
【００４６】
第１６態様によれば、コンピュータ可読記憶媒体を提供し、前記コンピュータ可読記憶媒体にプログラムが記憶され、前記プログラムは端末装置に上記第１０態様、及びその種々の実施形態のいずれかに記載のデータ伝送方法を実行させる。
【図面の簡単な説明】
【００４７】
本発明の実施例の技術案をより明瞭に説明するために、以下、本発明の実施例に使用される図面を簡単に説明し、明らかなように、下記図面は本発明のいくつかの実施例に過ぎず、当業者は、創造的な労働をせずに、これらの図面に基づきほかの図面を想到し得る。
【００４８】
【図１】本発明の一応用シナリオの模式図である。
【図２】本発明の実施例に係るデータ伝送方法のプロセスインタラクション図である。
【図３】ガードバンド無し場合とガードバンド有り場合の異なるヌメロロジーに基づくデータ伝送の模式図である。
【図４】本発明の別の実施例に係るデータ伝送方法のプロセスインタラクション図である。
【図５】本発明の実施例に係るデータ伝送方法のプロセスインタラクション図である。
【図６】本発明の実施例に係るデータ伝送方法のプロセスインタラクション図である。
【図７】本発明の実施例に係るネットワーク装置の構成ブロック図である。
【図８】本発明の実施例に係るネットワーク装置の構成ブロック図である。
【図９】本発明の実施例に係るシステムチップの概略構成図である。
【図１０】本発明の実施例に係る端末装置の構成ブロック図である。
【図１１】本発明の実施例に係る端末装置の構成ブロック図である。
【図１２】本発明の実施例に係るシステムチップの概略構成図である。
【図１３】本発明の別の実施例に係るネットワーク装置の構成ブロック図である。
【図１４】本発明の別の実施例に係るネットワーク装置の構成ブロック図である。
【図１５】本発明の別の実施例に係るシステムチップの概略構成図である。
【図１６】本発明の別の実施例に係る端末装置の構成ブロック図である。
【図１７】本発明の別の実施例に係る端末装置の構成ブロック図である。
【図１８】本発明の別の実施例に係るシステムチップの概略構成図である。
【発明を実施するための形態】
【００４９】
以下、本発明の実施例の図面を参照して、本発明の実施例の技術案を明瞭且つ完全に説明し、明らかなように、説明される実施例は本発明の一部の実施例であり、すべての実施例ではない。本発明の実施例に基づき、当業者が創造的な労働をせずに想到し得るほかの実施例はすべて本発明の保護範囲に属する。
【００５０】
理解すべきなのは、本発明の実施例の技術案は様々な通信システム、たとえば、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称する）、ロングタームエボリューション（Ｌｏｎｇ  Ｔｅｒｍ  Ｅｖｏｌｕｔｉｏｎ、「ＬＴＥ」と略称する）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）等の従来の通信システム、及び、特に将来の５Ｇシステムに適用できる。
【００５１】
本発明の実施例に係る端末装置は、ユーザー機器（Ｕｓｅｒ  Ｅｑｕｉｐｍｅｎｔ、「ＵＥ」と略称する）、アクセス端末、ユーザーユニット、ユーザー局、移動局、モバイルステーション、遠隔局、遠隔端末、移動装置、ユーザー端末、端末、無線通信装置、ユーザーエージェント又はユーザー装置であってもよい。アクセス端末として、セルラーホン、コードレス電話、セッション開始プロトコル（Ｓｅｓｓｉｏｎ  Ｉｎｉｔｉａｔｉｏｎ  Ｐｒｏｔｏｃｏｌ、「ＳＩＰ」と略称する）電話、ワイヤレスローカルループ（Ｗｉｒｅｌｅｓｓ  Ｌｏｃａｌ  Ｌｏｏｐ、「ＷＬＬ」と略称する）ステーション、パーソナルデジタルアシスタント（Ｐｅｒｓｏｎａｌ  Ｄｉｇｉｔａｌ  Ａｓｓｉｓｔａｎｔ、「ＰＤＡ」と略称する）、無線通信機能を有するハンドヘルドデバイス、コンピューティング装置、又は無線モデムに接続されたほかの処理装置、車載装置、ウェアラブル装置、将来の５Ｇネットワークにおける端末装置又は将来の進化型公衆携帯電話網（Ｐｕｂｌｉｃ  Ｌａｎｄ  Ｍｏｂｉｌｅ  Ｎｅｔｗｏｒｋ、「ＰＬＭＮ」と略称する）における端末装置等が挙げられる。
【００５２】
本発明の実施例に係るネットワーク装置は、端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ、「ＢＴＳ」と略称する）であってもよく、ＷＣＤＭＡシステムにおける基地局（ＮｏｄｅＢ、「ＮＢ」と略称する）であってもよく、ＬＴＥシステムにおける進化型基地局（Ｅｖｏｌｕｔｉｏｎａｌ  ＮｏｄｅＢ、「ｅＮＢ又はｅＮｏｄｅＢ」と略称する）であってもよく、クラウド無線アクセスネットワーク（Ｃｌｏｕｄ  Ｒａｄｉｏ  Ａｃｃｅｓｓ  Ｎｅｔｗｏｒｋ、「ＣＲＡＮ」と略称する）シナリオにおける無線コントローラであってもよく、或いは該ネットワーク装置は中継局、アクセスポイント、車載装置、ウェアラブル装置及び将来の５Ｇネットワークにおけるネットワーク装置又は将来の進化型ＰＬＭＮネットワークにおけるネットワーク装置等であってもよい。
【００５３】
図１は本発明の一応用シナリオの模式図である。図１中の通信システムはネットワーク装置１０及び端末装置２０を備えてもよい。ネットワーク装置１０は端末装置２０に通信サービスを提供し且つコアネットワークにアクセスされ、端末装置２０はネットワーク装置１０の送信した同期信号、ブロードキャスト信号等を検索してネットワークにアクセスされ、それによりネットワークとの通信を行う。図１に示される矢印は端末装置２０とネットワーク装置１０の間のセルラーリンクを経由したアップリンク／ダウンリンク伝送を示してもよい。本発明の実施例は異なるＤＣＩフォーマットで異なるヌメロロジーに基づくデータ伝送をスケジューリングすることで、制御シグナリング設計の柔軟性を向上できる。
【００５４】
図２は本発明の実施例に係るデータ伝送方法のプロセスインタラクション図である。図２はネットワーク装置１０及び端末装置２０が示されている。図２に示すように、該データ伝送の具体的なプロセスはステップ２１０〜２３０を含む。
【００５５】
２１０、ネットワーク装置１０は前記データを伝送するためのヌメロロジー及びターゲットバンドを決定する。
【００５６】
該ターゲットバンドは該データを伝送するための伝送バンド及びガードバンドを含み、端末装置２０は前記ガードバンドで前記データを伝送しない。該ガードバンドの高周波側と低周波側はそれぞれ異なるヌメロロジーに基づき伝送されるデータに使用される伝送バンドと隣接し、端末装置はこの領域内で５Ｇ信号を送受信しない。
【００５７】
具体的には、異なるヌメロロジーを用いたデータ伝送プロセス間の相互干渉を防止するために、異なるヌメロロジーに基づき伝送される信号が周波数領域で隣接し、すなわちＦＤＭの方式で多重化する場合、元々隣接する２つのバンドの間に該ガードバンド（ｇｕａｒｄ  ｔｏｎｅ／ｇｕａｒｄ  ｓｕｂｃａｒｒｉｅｒ）を挿入し、端末装置が該ガードバンドでデータを伝送しないことで、該ガードバンドは異なるヌメロロジーに基づくデータ伝送に使用されるバンドを隔離できる。
【００５８】
例えば、図３はガードバンド無し場合とガードバンド有り場合の異なるヌメロロジーに基づくデータ伝送の模式図を示す。図３を例に、ガードバンドがない場合、異なるヌメロロジーを用いたデータが隣接するバンドで伝送される時、相互干渉が生じやすく、たとえば図３に示すように、２つの隣接するバンドでデータ伝送を行う時に使用されるサブキャリア間隔（ｓｕｂｃａｒｒｉｅｒ  ｓｐａｃｉｎｇ）がそれぞれ３０ｋＨｚと１５ｋＨｚである場合、これら２つの隣接するバンドでそれぞれこれら２種のサブキャリア間隔を用いたデータ伝送中、隣接する２つのバンドで異なるサブキャリア間隔を用いてデータを伝送する時に干渉が発生する。しかし、ガードバンドがある場合、たとえば図３に示すように、２つの異なるバンドで伝送されるデータに使用されるサブキャリア間隔がそれぞれ３０ｋＨｚと１５ｋＨｚであり、これら２つのバンドでそれぞれこれら２種のサブキャリア間隔を用いたデータ伝送中、異なるヌメロロジーで伝送されるデータの占有するこれらの２つのバンドがガードバンドに隔離され、該ガードバンドでデータを伝送しないことにより、異なるサブキャリア間隔間の相互干渉を回避でき、図３（ｂ）に示されるガードバンドの帯域幅は６０ｋＨｚである。
【００５９】
従って、本発明の実施例に係る方法によれば、端末装置に設定された伝送リソースにガードバンドを設定することで、異なるヌメロロジーに基づくデータ伝送の間の相互干渉を回避する。
【００６０】
選択的に、前記ターゲットバンドの情報は前記ターゲットバンドの開始位置と終了位置、前記ターゲットバンドにおける前記ガードバンドの位置、及び前記ガードバンドの帯域幅を含む。
【００６１】
具体的には、ネットワーク装置１０は端末装置２０にアップリンク／ダウンリンク伝送のリソースを設定する際に、送信する設定情報は該データを伝送するためのヌメロロジー及び該データを伝送するためのターゲットバンドの情報を含む必要があり、該データを伝送するためのターゲットバンドの位置は該ターゲットバンドの開始位置と終了位置で示でき、該開始位置と終了位置で限定されるターゲットバンドは該ガードバンドを含み、該ターゲットバンドの情報は該ターゲットバンドにおける該ガードバンドの位置をさらに含む。
【００６２】
選択的に、前記ターゲットバンドにおける前記ガードバンドの位置は前記ターゲットバンドの低周波側又は高周波側を含み、又は前記ターゲットバンドの低周波側と高周波側を含む。
【００６３】
具体的には、ネットワーク装置１０は以下のガードバンドとターゲットバンドの間の４種の位置関係に応じて、端末装置２０にアップリンク／ダウンリンク伝送用の周波数領域リソースを割り当てられる。すなわち、ガードバンドがターゲットバンドの低周波側に位置すること、ガードバンドがターゲットバンドの高周波側に位置すること、ガードバンドがターゲットバンドの高周波側と低周波側に同時に位置すること、ターゲットバンドの両端にいずれもガードバンドがないことである。
【００６４】
該伝送バンドで伝送されるデータに使用されるヌメロロジーが、該ターゲットバンドの低周波側と隣接するバンドで伝送されるデータに使用されるヌメロロジーと異なければ、ガードバンドはターゲットバンドの低周波側に設定されてもよい。該伝送バンドで伝送されるデータに使用されるヌメロロジーが、該ターゲットバンドの高周波側と隣接するバンドで伝送されるデータに使用されるヌメロロジーと異なければ、ガードバンドはターゲットバンドの高周波側に設定されてもよい。該伝送バンドで伝送されるデータに使用されるヌメロロジーが、該ターゲットバンドの低周波側と隣接するバンドで伝送されるデータに使用されるヌメロロジーと異なり、且つ該伝送バンドで伝送されるデータに使用されるヌメロロジーが、該ターゲットバンドの高周波側と隣接するバンドで伝送されるデータに使用されるヌメロロジーと異なければ、ガードバンドはターゲットバンドの低周波側と高周波側に同時に設定されてもよい。該伝送バンドで伝送されるデータに使用されるヌメロロジーが、該ターゲットバンドの低周波側と隣接するバンドで伝送されるデータに使用されるヌメロロジーと同じで、且つ該伝送バンドで伝送されるデータに使用されるヌメロロジーが、該ターゲットバンドの高周波側と隣接するバンドで伝送されるデータに使用されるヌメロロジーと同じであれば、２つの隣接するバンドの間にガードバンドを設定しなくてもよい。該ターゲットバンドの情報は該ターゲットバンドにおける該ガードバンドの位置を含み、すなわち該ガードバンドに使用される位置関係が上記４種の位置関係のいずれかであることを含む。
【００６５】
理解すべきなのは、該ガードバンドの情報は前記ターゲットバンドの開始位置と終了位置、及び前記ガードバンドの開始位置と終了位置を含んでもよい。該ガードバンドの開始位置と終了位置で形成される該ガードバンドはターゲットバンドの低周波側及び／又は高周波側に位置してもよい。該ガードバンドがターゲットバンドの低周波側と高周波側に同時に位置すると、該ターゲットバンドの情報は低周波側に位置するガードバンドの開始・終了位置、及び高周波側に位置するガードバンドの開始・終了位置を同時に含むべきである。
【００６６】
選択的に、前記ガードバンドの帯域幅は前記ネットワーク装置１０がサポートする最小サブキャリア間隔の整数倍である。
【００６７】
具体的には、該ターゲットバンドの情報は該ガードバンドの帯域幅をさらに含む。５Ｇシステムにおいて同一キャリアで異なるヌメロロジーをサポートするため、該ガードバンドの帯域幅は異なるヌメロロジーに基づくデータ伝送に使用されるバンドをカバーする必要がある。従って、ネットワーク装置１０は該ガードバンドの帯域幅を決定する時、ネットワーク装置１０がサポートする最小キャリア間隔を単位とする。図３を例に、該通信システムは１５ｋＨｚと３０ｋＨｚのこれら２種のサブキャリア間隔をサポートし、ネットワーク装置１０は該ガードバンドの帯域幅を決定する際に、１５ｋＨｚを基本単位とすべきであり、つまり、該ガードバンドの帯域幅は１５ｋＨｚの整数倍で且つターゲットバンドの帯域幅未満とすべきである。該ガードバンドがターゲットバンドの低周波側と高周波側に同時に位置すれば、低周波側に位置するガードバンドの開始・終了位置と高周波側に位置するガードバンドの帯域幅はともに１５ｋＨｚの整数倍であるべきである。
【００６８】
理解すべきなのは、ネットワーク装置１０が端末装置２０に送信する設定情報において、該ターゲットバンドの情報は該ターゲットバンドの開始位置と終了位置、及びガードバンドの開始位置と終了位置を含んでもよい。
【００６９】
選択的に、前記ヌメロロジーはサブキャリア間隔を含む。
【００７０】
サブキャリア間隔とは、隣接するサブキャリア間の周波数間隔であり、たとえば１５ｋＨｚ、６０ｋＨｚ等である。該ヌメロロジーのパラメータはここでサブキャリア間隔を含むが、それに限定されず、たとえばネットワーク装置１０が端末装置２０に送信する設定情報に含まれるヌメロロジーは、たとえば特定帯域幅におけるサブキャリア数、物理リソースブロック（Ｐｈｙｓｉｃａｌ  ＲｅｓｏｕｒｃｅＢｌｏｃｋ、「ＰＲＢ」と略称する）におけるサブキャリア数、直交周波数分割多重化（Ｏｒｔｈｏｇｏｎａｌ  ＦｒｅｑｕｅｎｃｙＤｉｖｉｓｉｏｎ  Ｍｕｌｔｉｐｌｅｘｉｎｇ、「ＯＦＤＭ」と略称する）シンボルの長さ、ＯＦＤＭ信号を生成するためのフーリエ変換、たとえば高速フーリエ変換（Ｆａｓｔ  Ｆｏｕｒｉｅｒ  Ｔｒａｎｓｆｏｒｍ、「ＦＦＴ」と略称する）又は逆フーリエ変換たとえば高速逆フーリエ変換（Ｉｎｖｅｒｓｅ  Ｆａｓｔ  Ｆｏｕｒｉｅｒ  Ｔｒａｎｓｆｏｒｍ、「ＩＦＦＴ」と略称する）のポイント数、伝送時間間隔ＴＴＩにおけるＯＦＤＭシンボル数、特定の時間長に含まれるＴＴＩの数と信号プレフィックスの長さ等のほかのパラメータを含んでもよい。
【００７１】
以下、例を挙げて、ネットワーク装置１０により決定される前記データを伝送するためのヌメロロジーとターゲットバンドを説明する。ネットワーク装置１０がそれぞれ端末装置２０と端末装置３０にアップリンクデータを伝送するための伝送リソースを設定すると仮定する。ネットワーク装置１０は、端末装置２０に設定したアップリンクデータを伝送するためのサブキャリア間隔は６０ｋＨｚであり、端末装置３０に設定したアップリンクデータを伝送するためのサブキャリア間隔は３０ｋＨｚであり、且つネットワーク装置１０は端末装置２０に設定した該アップリンクデータを伝送するためのターゲットバンドの開始位置と終了位置はそれぞれ１８００ｋＨｚと１８６０ｋＨｚであり、ネットワーク装置１０は端末装置３０に設定した該アップリンクデータを伝送するためのターゲットバンドの開始位置と終了位置はそれぞれ１８６０ｋＨｚと２０００ｋＨｚである。端末装置２０に使用されるサブキャリア間隔と端末装置３０に使用されるサブキャリア間隔が異なり、且つ端末装置２０がそのアップリンクデータを伝送するためのバンドの高周波側は、端末装置３０がそのアップリンクデータを伝送するためのバンドの低周波側と隣接するため、ネットワーク装置１０は端末装置２０に設定するターゲットバンドの高周波側にガードバンドを設定し、又は端末装置３０に設定するターゲットバンドの低周波側にガードバンドを設定してもよい。通信システムのサポートする最小サブキャリア間隔を３０ｋＨｚとすると、該ガードバンドの帯域幅は３０ｋＨｚの整数倍である。たとえばネットワーク装置１０が端末装置２０に設定したガードバンドはその設定したターゲットバンドの高周波側に位置し、且つガードバンドの帯域幅はたとえば３０ｋＨｚであってもよく、すなわち該ガードバンドの開始位置と終了位置はそれぞれ１８３０ｋＨｚと１８６０ｋＨｚである。また、たとえばネットワーク装置１０が端末装置３０に設定したガードバンドはその設定したターゲットバンドの低周波側に位置し、且つガードバンドの帯域幅はたとえば６０ｋＨｚであってもよく、すなわち該ガードバンドの開始位置と終了位置はそれぞれ１８６０ｋＨｚと１９２０ｋＨｚである。
【００７２】
理解すべきなのは、該ターゲットバンド中の該データを伝送するための伝送バンドは連続的であってもよく、不連続的であってもよい。該ターゲットバンド中の該データを伝送しておらず且つガードバンドに属さないバンドリソースは、ほかのデータの伝送等に用いられてもよい。本発明では、それを限定しない。
【００７３】
２２０、ネットワーク装置１０は端末装置２０に設定情報を送信する。
【００７４】
該設定情報は該ヌメロロジー及び該ターゲットバンドの情報を含む。
【００７５】
具体的には、ネットワーク装置１０は前記データを伝送するためのヌメロロジーとターゲットバンドを決定した後、該ヌメロロジーと該ターゲットバンドを含む設定情報を端末装置２０に送信し、それにより端末装置２０は該設定情報に基づき、該ヌメロロジーを用いて、該ターゲットバンド中の該データを伝送するためのバンドで、ネットワーク装置１０と該データ伝送を行う。
【００７６】
２３０、端末装置２０はネットワーク装置１０の送信した設定情報を受信する。
【００７７】
具体的には、ネットワーク装置１０は端末装置２０に設定情報を送信し、端末装置２０は該ネットワーク装置１０の送信した該設定情報を受信すると、該設定情報中のヌメロロジーに基づき、該設定情報に指示されるバンドで、ネットワーク装置１０とデータ伝送を行ってもよい。
【００７８】
選択的に、該設定情報は前記ヌメロロジーに対応するフィルタリング方式をさらに含んでもよい。
【００７９】
具体的には、該設定情報は該ヌメロロジーに対応するフィルタリング方式をさらに含めば、端末装置２０は該設定情報に指示されるフィルタリング方式に基づき、受信した又は送信待ちデータをフィルタリングしてもよい。
【００８０】
この場合、ネットワーク装置１０が端末装置２０に設定情報を送信する前、すなわちステップ２２０を実行する前、該方法は、ネットワーク装置１０が前記ヌメロロジーに対応する前記フィルタリング方式を決定するステップをさらに含む。
【００８１】
選択的に、該フィルタリング方式は、ベースバンドフィルタ（「フィルタ」と略称できる）のタイプ、前記ベースバンドフィルタのパラメータ、使用されるフィルタリング波形、及び前記フィルタリング波形のパラメータのうちの少なくとも１種を含む。
【００８２】
図４は本発明の別の実施例に係るデータ伝送方法のプロセスインタラクション図である。図４にはネットワーク装置１０及び端末装置２０が示される。図４に示すように、該データ伝送の具体的なプロセスはステップ３１０〜３３０を含む。
【００８３】
３１０、ネットワーク装置１０は、前記データを伝送するためのヌメロロジー、前記データを伝送するための伝送バンド、及び前記ヌメロロジーに対応するフィルタリング方式を決定する。
【００８４】
具体的には、異なるヌメロロジーに基づき伝送されるデータに使用されるバンドが隣接する場合、周波数分割多重化時の異なるヌメロロジー間の干渉を防止するために、ネットワーク装置１０は該ヌメロロジーに基づき、該ヌメロロジーに対応する適切なフィルタリング方式、たとえばフィルタ（ｆｉｌｔｅｒ）のタイプ及び／又は波形（ｗａｖｅｆｏｒｍ）を端末装置２０に設定することで、異なるヌメロロジーに基づくデータ伝送の間の相互干渉を軽減できる。該フィルタのタイプと該波形はシステムで予め定義されてもよい。
【００８５】
従って、異なるヌメロロジーに基づき伝送されるデータを異なるフィルタリング方式で処理することで、異なるヌメロロジーに基づくデータ伝送の間の相互干渉を軽減できる。
【００８６】
選択的に、該フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【００８７】
具体的には、ネットワーク装置１０は該データを伝送するためのヌメロロジーと伝送バンドを端末装置２０に設定し、さらに該ヌメロロジーに対応する該データをフィルタリングするためのフィルタリング方式を端末装置２０に設定する。異なるヌメロロジーを用いたデータをフィルタリングする際に、異なるフィルタを使用してもよく、同じフィルタを使用してもよいが、該フィルタを使用する時のパラメータが異なり、又は異なるフィルタリング波形を使用してもよく、又は同一フィルタリング波形の異なるパラメータを使用してもよい。
【００８８】
５Ｇシステムでは、異なるヌメロロジーに基づき伝送されるデータは、ベースバンド処理中、異なる波形又はフィルタと組み合わせて使用する可能性がある。たとえば、一般に直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称する）信号と組み合わせて使用される波形はｗ−ＯＦＤＭ（ｗｉｎｄｏｗｉｎｇ  ＯＦＤＭ）、ｆ−ＯＦＤＭ（ｆｉｌｔｅｒｅｄ  ＯＦＤＭ）を含む。ｗ−ＯＦＤＭを例に、ＯＦＤＭ信号発生後、時間領域に１つの窓関数、例えば一般的に用いられるフォンハン窓ｗ（ｎ）＝０．５｛１−ｃｏｓ［２＊ｐｉ＊ｎ／（Ｎ−１）］｝を乗算する。ここで、ｎは時間領域サンプリング時間、Ｎは設定可能なパラメータであり、上式の窓関数は１つの時間領域のフィルタであり、Ｎはフィルタのパラメータであると考えられる。
【００８９】
例えば、ネットワーク装置１０は端末装置２０に設定したアップリンクデータを伝送するためのサブキャリア間隔は６０ｋＨｚであり、フィルタリング波形はｗ−ＯＦＤＭであり、伝送バンドは１８００ｋＨｚ−１８３０ｋＨｚであり、端末装置３０に設定したダウンリンクデータを伝送するためのサブキャリア間隔は３０ｋＨｚであり、フィルタリング波形はｆ−ＯＦＤＭであり、伝送バンドは１９２０ｋＨｚ−２０００ｋＨｚである。この場合、端末装置２０はネットワーク装置１０から送信された設定情報を受信した後、端末装置２０はｗ−ＯＦＤＭ波形に基づき送信待ちアップリンクデータを処理し、３０ｋＨｚのサブキャリア間隔を用いて、バンド１８００ｋＨｚ−１８３０ｋＨｚでネットワーク装置１０に該アップリンクデータを送信する。端末装置３０はネットワーク装置１０から送信された設定情報を受信した後、端末装置３０は３０ｋＨｚのサブキャリア間隔に基づき、バンド１９２０ｋＨｚ−２０００ｋＨｚで、ネットワーク装置１０の送信した該ダウンリンクデータを受信し、且つｆ−ＯＦＤＭ波形に基づき、受信した該データを処理する。
【００９０】
選択的に、ステップ３１０では、ネットワーク装置１０は、前記データを伝送するためのヌメロロジー、前記データを伝送するための伝送バンド、及び前記ヌメロロジーに対応するフィルタリング方式を決定し、ネットワーク装置１０はさらに該伝送バンドと隣接するガードバンドを決定できる。該ガードバンドは一端が該伝送バンドと隣接し、該データを伝送するための該伝送バンドと、該ガードバンドの他端と隣接する伝送バンドとを隔離するように、該ガードバンドで端末装置２０が前記データを伝送することを禁止する。
【００９１】
３２０、ネットワーク装置１０は端末装置２０に設定情報を送信する。
【００９２】
該設定情報は前記データを伝送するためのヌメロロジー、前記データを伝送するための伝送バンド、及び前記ヌメロロジーに対応するフィルタリング方式を含む。
【００９３】
具体的には、ネットワーク装置１０は、前記データを伝送するためのヌメロロジー、前記データを伝送するための伝送バンド、及び前記ヌメロロジーに対応するフィルタリング方式決定した後、該データを伝送するための該伝送バンド、該ヌメロロジー、及び該フィルタリング方式を含む設定情報を端末装置２０に送信し、それにより端末装置２０は該設定情報に基づき、該フィルタリング方式を用いて該データをフィルタリングし、且つ該ヌメロロジーを用いて、該伝送バンドでネットワーク装置１０と該データの伝送を行う。
【００９４】
選択的に、前記設定情報は該伝送バンドと隣接するガードバンドの情報をさらに含んでもよい。該ガードバンドの情報は該ガードバンドと該伝送バンドの位置関係、及び該ガードバンドの帯域幅を含んでもよい。該ガードバンドと該伝送バンドの位置関係は、該ガードバンドが該伝送バンドの低周波側と隣接すること及び／又は該ガードバンドが該伝送バンドの高周波側と隣接することを含む。
【００９５】
３３０、端末装置２０はネットワーク装置１０の送信した設定情報を受信する。
【００９６】
具体的には、ネットワーク装置１０は端末装置２０に設定情報を送信し、端末装置２０は該ネットワーク装置１０の送信した該設定情報を受信した後、該フィルタリング方式に基づき該データをフィルタリングし、且つ該設定情報中のヌメロロジーに基づき、該設定情報に指示されるバンドで、ネットワーク装置１０と該データの伝送を行う。
【００９７】
選択的に、図２及び図４に示されるデータ伝送方法に基づき、図５に示される本発明の別の実施例に係るデータ伝送方法は、ステップ２３０又は３３０の後、ステップ４１１とステップ４２１をさらに含んでもよい。
【００９８】
４１１、ネットワーク装置１０は該設定情報に基づき、端末装置２０に該データを送信する。
【００９９】
具体的には、ネットワーク装置１０は該ヌメロロジー中のパラメータに基づき、該ターゲットバンド中の該データを伝送するためのバンドで、端末装置２０に該データを送信する。
【０１００】
４２１、端末装置２０は該設定情報に基づき、ネットワーク装置１０の送信した該データを受信する。
【０１０１】
具体的には、端末装置２０は該ヌメロロジー中のパラメータに基づき、該ターゲットバンド中の該データを伝送するためのバンドで、ネットワーク装置１０の送信した該データを受信する。
【０１０２】
該設定情報は該ヌメロロジーに対応するフィルタリング方式をさらに含めば、ステップ４２１の後、該方法はステップ４３１をさらに含む。
【０１０３】
４３１、端末装置２０は該フィルタリング方式に基づき、受信した該データを処理する。
【０１０４】
具体的には、端末装置２０はネットワーク装置１０の送信した設定情報に指示されるフィルタリング方式、たとえば適切なベースバンドフィルタのタイプ又はフィルタリング波形に基づき、受信した該データをフィルタリング処理する。
【０１０５】
選択的に、ステップ４１１とステップ４２１はそれぞれ図６に示されるステップ４１２とステップ４２２で代替され、図６は本発明の別の実施例に係るデータ伝送方法のプロセスインタラクション図である。
【０１０６】
４１２、端末装置２０は該設定情報に基づき、ネットワーク装置１０に該データを送信する。
【０１０７】
具体的には、端末装置２０は該ヌメロロジー中のパラメータに基づき、該ターゲットバンド中の該データを伝送するためのバンドで、ネットワーク装置１０に該データを送信する。
【０１０８】
４２２、ネットワーク装置１０は該設定情報に基づき、端末装置２０の送信した該データを受信する。
【０１０９】
具体的には、ネットワーク装置１０は該ヌメロロジー中のパラメータに基づき、該ターゲットバンド中の該データを伝送するためのバンドで、端末装置２０の送信した該データを受信する。
【０１１０】
該設定情報は該ヌメロロジーに対応するフィルタリング方式をさらに含めば、ステップ４２１の前、該方法はステップ４３２をさらに含む。
【０１１１】
４３２、端末装置２０は該フィルタリング方式に基づき該データを処理する。
【０１１２】
具体的には、端末装置２０はネットワーク装置１０の送信した設定情報に指示されるフィルタリング方式、たとえば適切なベースバンドフィルタのタイプ又はフィルタリング波形に基づき、送信待ちの該データをフィルタリング処理し、ネットワーク装置に処理済みの該データを送信する。
【０１１３】
理解すべきなのは、現在端末装置２０とネットワーク装置１０の間で伝送されている該データはアップリンクデータ又はダウンリンクデータを含んでもよく、伝送される該データがダウンリンクデータであれば、ネットワーク装置１０は端末装置２０に該データを送信し、該設定情報はダウンリンクデータをスケジューリングするための設定情報であり、ネットワーク装置１０は端末装置２０にダウンリンクデータを送信した後、端末装置２０は該設定情報に基づき、ネットワーク装置１０の送信した該ダウンリンクデータを正確に受信し、すなわちステップ４１１とステップ４２１を実行する。伝送される該データがアップリンクデータであれば、端末装置２０はネットワーク装置３０に該データを送信し、該設定情報はアップリンクデータをスケジューリングするための設定情報であり、端末装置２０は該設定情報に基づき、ネットワーク装置１０にアップリンクデータを送信し、ネットワーク装置１０は端末装置２０の送信した該アップリンクデータを受信し、すなわちステップ４１２とステップ４２２を実行する。
【０１１４】
更に理解すべきなのは、本発明の実施例に係るネットワーク装置１０と端末装置２０の間の該データ伝送はサービスデータの伝送を含んでもよく、制御シグナリングの伝送を含んでもよく、ここでは限定しない。
【０１１５】
従って、本発明の実施例に係る方法によれば、ガードバンドを設定し、又はヌメロロジーに対応するフィルタリング方式を設定することで、異なるヌメロロジーに基づくデータ伝送の間の相互干渉を回避する。
【０１１６】
理解すべきなのは、本発明の種々の実施例では、上記各プロセスの番号は実行順序を示すものではなく、各プロセスの実行順序はその機能と内部ロジックで決めされ、本発明の実施例の実施過程を限定するものではない。
【０１１７】
以上、本発明の実施例に係るデータ伝送方法を詳細に説明したが、以下、本発明の実施例に係るネットワーク装置と端末装置を説明する。理解すべきなのは、本発明の実施例に係るネットワーク装置と端末装置は上記本発明の実施例に係る種々の方法を実行でき、すなわち、以下の種々の装置の具体的な動作プロセスは上記方法の実施例の対応するプロセスを参照すればよい。
【０１１８】
図７は本発明の実施例に係るネットワーク装置７００の概略ブロック図である。図７に示すように、該ネットワーク装置７００は決定モジュール７０１及び伝送モジュール７０２を備える。
【０１１９】
決定モジュール７０１は、前記データを伝送するためのヌメロロジーを決定し、且つ前記データを伝送するための、前記データを伝送するための伝送バンド及びガードバンドを含むターゲットバンドを決定する。
伝送モジュール７０２は、前記決定モジュール７０１により決定された前記設定情報を前記端末装置に送信し、前記設定情報は前記ヌメロロジー及び前記ターゲットバンドの情報を含む。
前記伝送モジュール７０２はさらに、前記決定モジュール７０１により決定された前記ヌメロロジーに基づき、前記決定モジュール７０１により決定された前記伝送バンドで、前記端末装置の送信した前記データを受信し又は前記端末装置に前記データを送信する。
【０１２０】
従って、本発明の実施例に係るネットワーク装置によれば、端末装置に設定された伝送リソースにガードバンドを設定することで、異なるヌメロロジーに基づくデータ伝送の間の相互干渉を回避する。
【０１２１】
選択的に、前記ターゲットバンドの情報は前記ターゲットバンドの開始位置と終了位置、前記ガードバンドの帯域幅、及び前記ターゲットバンドにおける前記ガードバンドの位置を含む。
【０１２２】
選択的に、前記ターゲットバンドの情報は前記ターゲットバンドの開始位置と終了位置、及び前記ガードバンドの開始位置と終了位置を含む。
【０１２３】
選択的に、前記ターゲットバンドにおける前記ガードバンドの位置は、前記ガードバンドが前記ターゲットバンドの低周波側及び／又は高周波側に位置することを含む。
【０１２４】
選択的に、前記ガードバンドの帯域幅は前記ネットワーク装置がサポートする最小サブキャリア間隔の整数倍である。
【０１２５】
選択的に、前記設定情報は前記ヌメロロジーに対応するフィルタリング方式をさらに含み、前記伝送モジュール７０２が前記端末装置に設定情報を送信する前、前記決定モジュール７０１はさらに、前記ヌメロロジーに対応する前記フィルタリング方式を決定する。
【０１２６】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１２７】
選択的に、前記ヌメロロジーはサブキャリア間隔を含む。
【０１２８】
選択的に、前記決定モジュール７０１は具体的には、予め定義された複数のヌメロロジーのうち前記データを伝送するための前記ヌメロロジーを決定する。
【０１２９】
注意すべきなのは、本発明の実施例では、決定モジュール７０１はプロセッサによって実現され、伝送モジュール７０２は送受信機によって実現されてもよい。図８に示すように、ネットワーク装置８００はプロセッサ８１０、送受信機８２０及びメモリ８３０を備えてもよい。送受信機８２０は受信機８２１と送信機８２２を備え、メモリ８３０はヌメロロジー、ガードバンド及びフィルタリング方式等の関連情報を記憶し、さらにプロセッサ８１０の実行するコード等を記憶してもよい。ネットワーク装置８００の各要素はバスシステム８４０によって結合され、バスシステム８４０はデータバス以外、電源バス、制御バス及び状態信号バス等をさらに含む。
【０１３０】
プロセッサ８１０は具体的には、前記データを伝送するためのヌメロロジーを決定し、且つ前記データを伝送するためのターゲットバンドを決定し、前記ターゲットバンドは前記データを伝送するための伝送バンド及びガードバンドを含む。送受信機８２０は、前記決定モジュールにより決定された、前記ヌメロロジー及び前記ターゲットバンドの情報を含む前記設定情報を前記端末装置に送信し、前記決定モジュールにより決定された前記ヌメロロジーに基づき、前記決定モジュールにより決定された前記伝送バンドで前記端末装置の送信した前記データを受信し又は前記端末装置に前記データを送信する。
【０１３１】
選択的に、前記ターゲットバンドの情報は前記ターゲットバンドの開始位置と終了位置、前記ガードバンドの帯域幅、及び前記ターゲットバンドにおける前記ガードバンドの位置を含む。
【０１３２】
選択的に、前記ターゲットバンドの情報は前記ターゲットバンドの開始位置と終了位置、及び前記ガードバンドの開始位置と終了位置を含む。
【０１３３】
選択的に、前記ターゲットバンドにおける前記ガードバンドの位置は、前記ガードバンドが前記ターゲットバンドの低周波側及び／又は高周波側に位置することを含む。
【０１３４】
選択的に、前記ガードバンドの帯域幅は前記ネットワーク装置がサポートする最小サブキャリア間隔の整数倍である。
【０１３５】
選択的に、前記設定情報は前記ヌメロロジーに対応するフィルタリング方式をさらに含み、前記送受信機８２０が前記端末装置に設定情報を送信する前、前記プロセッサ８１０はさらに、前記ヌメロロジーに対応する前記フィルタリング方式を決定する。
【０１３６】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１３７】
選択的に、前記ヌメロロジーはサブキャリア間隔を含む。
【０１３８】
選択的に、前記プロセッサ８１０は具体的には、予め定義された複数のヌメロロジーのうち前記データを伝送するための前記ヌメロロジーを決定する。
【０１３９】
図９は本発明の実施例に係るシステムチップの概略構成図である。図９に示されるシステムチップ９００は入力インタフェース９０１、出力インタフェース９０２、少なくとも１つのプロセッサ９０３、及びメモリ９０４を備え、前記入力インタフェース９０１、出力インタフェース９０２、前記プロセッサ９０３及びメモリ９０４はバス９０５によって接続され、前記プロセッサ９０３は前記メモリ９０４に記憶されたコードを実行し、前記コードが実行されると、前記プロセッサ９０３は図２〜図６中のネットワーク装置１０に実行される方法を実現する。
【０１４０】
図７に示されるネットワーク装置７００又は図８に示されるネットワーク装置８００又は図９に示されるシステムチップ９００は、上記図２〜図６に示される方法の実施例におけるネットワーク装置１０に実現される各プロセスを実現でき、ここで重複説明を省略する。
【０１４１】
図１０は本発明の実施例に係る端末装置１０００の概略ブロック図である。図１０に示すように、該端末装置１０００は伝送モジュール１００１を備える。
伝送モジュール１００１は、ネットワーク装置の送信した設定情報を受信し、前記設定情報は前記データを伝送するためのヌメロロジー及びターゲットバンドの情報を含み、前記ターゲットバンドは前記データを伝送するための伝送バンド及びガードバンドを含み、
前記ヌメロロジーに基づき、前記伝送バンドで前記ネットワーク装置に前記データを送信し又は前記ネットワーク装置の送信した前記データを受信する。
【０１４２】
従って、本発明の実施例に係る端末装置によれば、伝送リソース中に設定されたガードバンドによって、異なるヌメロロジーに基づくデータ伝送の間の相互干渉を回避する。
【０１４３】
選択的に、前記ターゲットバンドの情報は前記ターゲットバンドの開始位置と終了位置、前記ガードバンドの帯域幅、及び前記ターゲットバンドにおける前記ガードバンドの位置を含む。
【０１４４】
選択的に、前記ターゲットバンドの情報は前記ターゲットバンドの開始位置と終了位置、及び前記ガードバンドの開始位置と終了位置を含む。
【０１４５】
選択的に、前記ターゲットバンドにおける前記ガードバンドの位置は、前記ガードバンドが前記ターゲットバンドの低周波側及び／又は高周波側に位置することを含む。
【０１４６】
選択的に、前記ガードバンドの帯域幅は前記ネットワーク装置がサポートする最小サブキャリア間隔の整数倍である。
【０１４７】
選択的に、前記設定情報は前記ヌメロロジーに対応するフィルタリング方式をさらに含み、前記伝送モジュール１００１は具体的には、前記フィルタリング方式に基づき前記データを処理し、且つ前記ヌメロロジーに基づき、前記ターゲットバンドで前記ネットワーク装置に処理済みの前記データを送信し、又は前記ヌメロロジーに基づき、前記ネットワーク装置の送信した前記データを受信し、且つ前記フィルタリング方式に基づき、受信した前記データを処理する。
【０１４８】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１４９】
選択的に、前記ヌメロロジーはサブキャリア間隔を含む。
【０１５０】
注意すべきなのは、本発明の実施例では、伝送モジュール１００１は送受信機によって実現されられる。図１１に示すように、端末装置１１００はプロセッサ１１１０、送受信機１１２０及びメモリ１１３０を備えてもよい。送受信機１１２０は受信機１１２１と送信機１１２２を備え、メモリ１１３０は基本パラメータ及びフィルタリング方式等の関連情報を記憶し、さらにプロセッサ１１１０に実行されるコード等を記憶してもよい。端末装置１１００の各要素はバスシステム１１４０によって結合され、バスシステム１１４０はデータバス以外、電源バス、制御バス及び状態信号バス等をさらに含む。
【０１５１】
送受信機１１２０は、ネットワーク装置の送信した設定情報を受信し、前記設定情報は前記データを伝送するためのヌメロロジー及びターゲットバンドの情報を含み、前記ターゲットバンドは前記データを伝送するための伝送バンド及びガードバンドを含み、前記ヌメロロジーに基づき、前記伝送バンドで前記ネットワーク装置に前記データを送信し又は前記ネットワーク装置の送信した前記データを受信する。
【０１５２】
選択的に、前記ターゲットバンドの情報は前記ターゲットバンドの開始位置と終了位置、前記ガードバンドの帯域幅、及び前記ターゲットバンドにおける前記ガードバンドの位置を含む。
【０１５３】
選択的に、前記ターゲットバンドの情報は前記ターゲットバンドの開始位置と終了位置、及び前記ガードバンドの開始位置と終了位置を含む。
【０１５４】
選択的に、前記ターゲットバンドにおける前記ガードバンドの位置は、前記ガードバンドが前記ターゲットバンドの低周波側及び／又は高周波側に位置することを含む。
【０１５５】
選択的に、前記ガードバンドの帯域幅は前記ネットワーク装置がサポートする最小サブキャリア間隔の整数倍である。
【０１５６】
選択的に、前記設定情報は前記ヌメロロジーに対応するフィルタリング方式をさらに含み、前記送受信機１１２０は具体的には、前記フィルタリング方式に基づき前記データを処理し、且つ前記ヌメロロジーに基づき、前記ターゲットバンドで前記ネットワーク装置に処理済みの前記データを送信し、又は前記ヌメロロジーに基づき、前記ネットワーク装置の送信した前記データを受信し、且つ前記フィルタリング方式に基づき、受信した前記データを処理する。
【０１５７】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１５８】
選択的に、前記ヌメロロジーはサブキャリア間隔を含む。
【０１５９】
図１２は本発明の実施例に係るシステムチップの概略構成図である。図１２に示されるシステムチップ１２００は入力インタフェース１２０１、出力インタフェース１２０２、少なくとも１つのプロセッサ１２０３、及びメモリ１２０４を備え、前記入力インタフェース１２０１、出力インタフェース１２０２、前記プロセッサ１２０３及びメモリ１２０４はバス１２０５によって接続され、前記プロセッサ１２０３は前記メモリ１２０４に記憶されたコードを実行し、前記コードが実行されると、前記プロセッサ１２０３は図２〜図６中の端末装置２０に実行される方法を実現する。
【０１６０】
図１０に示される端末装置１０００又は図１１に示される端末装置１１００又は図１２に示されるシステムチップ１２００は、上記図２〜図６に示される方法の実施例における端末装置２０に実現される各プロセスを実現でき、ここで重複説明を省略する。
【０１６１】
図１３は本発明の別の実施例に係るネットワーク装置１３００の概略ブロック図である。図１３に示すように、該ネットワーク装置１３００は決定モジュール１３０１及び伝送モジュール１３０２を備える。
【０１６２】
決定モジュール１３０１は、前記データを伝送するためのヌメロロジー、前記データを伝送するための伝送バンド、及び前記ヌメロロジーに対応するフィルタリング方式を決定し、
伝送モジュール１３０２は、前記ヌメロロジー、前記伝送バンド及び前記フィルタリング方式を含む設定情報を端末装置に送信し、前記ヌメロロジーに基づき、前記伝送バンドで前記端末装置の送信した前記データを受信し又は前記端末装置に前記データを送信する。
【０１６３】
従って、異なるヌメロロジーに基づき伝送されるデータを異なるフィルタリング方式で処理することで、異なるヌメロロジーに基づくデータ伝送の間の相互干渉を軽減できる。
【０１６４】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１６５】
選択的に、前記ヌメロロジーはサブキャリア間隔を含む。
【０１６６】
選択的に、前記決定モジュール１３０１は具体的には、予め定義された複数のヌメロロジーのうち前記データを伝送するための前記ヌメロロジーを決定する。
【０１６７】
注意すべきなのは、本発明の実施例では、決定モジュール１３０１はプロセッサによって実現され、伝送モジュール１３０２は送受信機によって実現されられる。図１４に示すように、ネットワーク装置１４００はプロセッサ１４１０、送受信機１４２０及びメモリ１４３０を備えてもよい。送受信機１４２０は受信機１４２１と送信機１４２２を備え、メモリ１４３０はヌメロロジー、ガードバンド及びフィルタリング方式等の関連情報を記憶し、さらにプロセッサ１４１０に実行されるコード等を記憶してもよい。ネットワーク装置１４００の各要素はバスシステム１４４０によって結合され、バスシステム１４４０はデータバス以外、電源バス、制御バス及び状態信号バス等をさらに含む。
【０１６８】
プロセッサ１４１０は具体的には、前記データを伝送するためのヌメロロジー、前記データを伝送するための伝送バンド、及び前記ヌメロロジーに対応するフィルタリング方式を決定し、送受信機１４２０は、前記ヌメロロジー、前記伝送バンド及び前記フィルタリング方式を含む設定情報を端末装置に送信し、前記ヌメロロジーに基づき、前記伝送バンドで前記端末装置の送信した前記データを受信し又は前記端末装置に前記データを送信する。
【０１６９】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１７０】
選択的に、前記ヌメロロジーはサブキャリア間隔を含む。
【０１７１】
選択的に、前記プロセッサ１４１０は具体的には、予め定義された複数のヌメロロジーのうち前記データを伝送するための前記ヌメロロジーを決定する。
【０１７２】
図１５は本発明の実施例に係るシステムチップの概略構成図である。図１５に示されるシステムチップ１５００は入力インタフェース１５０１、出力インタフェース１５０２、少なくとも１つのプロセッサ１５０３、及びメモリ１５０４を備え、前記入力インタフェース１５０１、出力インタフェース１５０２、前記プロセッサ１５０３及びメモリ１５０４はバス１５０５によって接続され、前記プロセッサ１５０３は前記メモリ１５０４に記憶されたコードを実行し、前記コードが実行されると、前記プロセッサ１５０３は図２〜図６中のネットワーク装置１０に実行される方法を実現する。
【０１７３】
図１３に示されるネットワーク装置１３００又は図１４に示されるネットワーク装置１４００又は図１５に示されるシステムチップ１５００は、上記図２〜図６に示される方法の実施例におけるネットワーク装置１０に実現される各プロセスを実現でき、ここで重複説明を省略する。
【０１７４】
図１６は本発明の別の実施例に係る端末装置１６００の概略ブロック図である。図１６に示すように、該端末装置１６００は伝送モジュール１６０１を備える。
伝送モジュール１６０１は、ネットワーク装置の送信した、前記データを伝送するためのヌメロロジー、前記データを伝送するための伝送バンド、及び前記ヌメロロジーに対応するフィルタリング方式を含む設定情報を受信し、
前記フィルタリング方式に基づき前記データを処理し、且つ前記ヌメロロジーに基づき、前記ターゲットバンドで前記ネットワーク装置に処理済みの前記データを送信し、又は
前記ヌメロロジーに基づき、前記ネットワーク装置の送信した前記データを受信し、且つ前記フィルタリング方式に基づき、受信した前記データを処理する。
【０１７５】
従って、異なるヌメロロジーに基づき伝送されるデータを異なるフィルタリング方式で処理することで、異なるヌメロロジーに基づくデータ伝送の間の相互干渉を軽減できる。
【０１７６】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１７７】
選択的に、前記ヌメロロジーはサブキャリア間隔を含む。
【０１７８】
注意すべきなのは、本発明の実施例では、伝送モジュール１６０１は送受信機によって実現される。図１７に示すように、端末装置１７００はプロセッサ１７１０、送受信機１７２０及びメモリ１７３０を備えてもよい。送受信機１７２０は受信機１７２１と送信機１７２２を備え、メモリ１７３０はヌメロロジー及びフィルタリング方式等の関連情報を記憶し、さらにプロセッサ１７１０に実行されるコード等を記憶してもよい。ネットワーク装置１７００の各要素はバスシステム１７４０によって結合され、バスシステム１７４０はデータバス以外、電源バス、制御バス及び状態信号バス等をさらに含む。
【０１７９】
送受信機１７２０は、ネットワーク装置の送信した、前記データを伝送するためのヌメロロジー、前記データを伝送するための伝送バンド、及び前記ヌメロロジーに対応するフィルタリング方式を含む設定情報を受信し、前記フィルタリング方式に基づき前記データを処理し、且つ前記ヌメロロジーに基づき、前記ターゲットバンドで前記ネットワーク装置に処理済みの前記データを送信し、又は前記ヌメロロジーに基づき、前記ネットワーク装置の送信した前記データを受信し、且つ前記フィルタリング方式に基づき、受信した前記データを処理する。
【０１８０】
選択的に、前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含む。
【０１８１】
選択的に、前記ヌメロロジーはサブキャリア間隔を含む。
【０１８２】
図１８は本発明の実施例に係るシステムチップの概略構成図である。図１８に示されるシステムチップ１８００は入力インタフェース１８０１、出力インタフェース１８０２、少なくとも１つのプロセッサ１８０３、及びメモリ１８０４を備え、前記入力インタフェース１８０１、出力インタフェース１８０２、前記プロセッサ１８０３及びメモリ１８０４はバス１８０５によって接続され、前記プロセッサ１８０３は前記メモリ１８０４に記憶されたコードを実行し、前記コードが実行されると、前記プロセッサ１８０３は図２〜図６中の端末装置２０に実行される方法を実現する。
【０１８３】
図１６に示される端末装置１６００又は図１７に示される端末装置１７００又は図１８に示されるシステムチップ１８００は、上記図２〜図６に示される方法の実施例における端末装置２０に実現される各プロセスを実現でき、ここで重複説明を省略する。
【０１８４】
理解できるのは、本発明の実施例によるプロセッサは集積回路チップであってもよく、信号処理能力を有する。実現中、上記方法の実施例の各ステップはプロセッサのハードウェアの集積論理回路又はソフトウェア形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、「ＤＳＰ」と略称する）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、「ＡＳＩＣ」と略称する）、フィールドプログラマブルゲートアレイ（Ｆｉｅｌｄ  Ｐｒｏｇｒａｍｍａｂｌｅ  Ｇａｔｅ  Ａｒｒａｙ、「ＦＰＧＡ」と略称する）又はほかのプログラマブルロジックデバイス、個別ゲート又はトランジスタロジック装置、個別ハードウェアユニットであってもよい。本発明の実施例に開示されている各方法、ステップ及び論理ブロック図を実現又は実行できる。汎用プロセッサはマイクロプロセッサであってもよく、該プロセッサは任意の公知のプロセッサ等であってもよい。本発明の実施例に開示されている方法のステップは直接ハードウェアデコードプロセッサとして実行されてもよく、デコードプロセッサのハードウェア及びソフトウェアモジュールの組合せによって実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野で成熟した記憶媒体に格納されてもよい。該記憶媒体はメモリに位置し、プロセッサはメモリ中の情報を読み取り、そのハードウェアと組み合わせて上記方法のステップを実行する。
【０１８５】
理解できるのは、本発明の実施例によるメモリは揮発性メモリ、又は不揮発性メモリ、又は揮発性と不揮発性メモリの組合せである。不揮発性メモリは読み出し専用メモリ（Ｒｅａｄ−Ｏｎｌｙ  Ｍｅｍｏｒｙ、「ＲＯＭ」と略称する）、プログラマブル読み出し専用メモリ（Ｐｒｏｇｒａｍｍａｂｌｅ  ＲＯＭ、「ＰＲＯＭ」と略称する）、消去可能プログラマブル読み出し専用メモリ（Ｅｒａｓａｂｌｅ  ＰＲＯＭ、「ＥＰＲＯＭ」と略称する）、電気的消去可能プログラマブル読み出し専用メモリ（Ｅｌｅｃｔｒｉｃａｌｌｙ  ＥＰＲＯＭ、「ＥＥＰＲＯＭ」と略称する）又はフラッシュメモリであってもよい。揮発性メモリはランダムアクセスメモリ（Ｒａｎｄｏｍ  Ａｃｃｅｓｓ  Ｍｅｍｏｒｙ、「ＲＡＭ」と略称する）であってもよく、外部キャッシュとして機能する。利用可能なＲＡＭは、たとえばスタティックランダムアクセスメモリ（Ｓｔａｔｉｃ  ＲＡＭ、「ＳＲＡＭ」と略称する）、ダイナミックランダムアクセスメモリ（Ｄｙｎａｍｉｃ  ＲＡＭ、「ＤＲＡＭ」と略称する）、同期ダイナミックランダムアクセスメモリ（Ｓｙｎｃｈｒｏｎｏｕｓ  ＤＲＡＭ、「ＳＤＲＡＭ」と略称する）、ダブルデータレート同期ダイナミックランダムアクセスメモリ（Ｄｏｕｂｌｅ  Ｄａｔａ  Ｒａｔｅ  ＳＤＲＡＭ、「ＤＤＲ  ＳＤＲＡＭ」と略称する）、拡張同期ダイナミックランダムアクセスメモリ（Ｅｎｈａｎｃｅｄ  ＳＤＲＡＭ、「ＥＳＤＲＡＭ」と略称する）、シンクリンクダイナミックランダムアクセスメモリ（Ｓｙｎｃｈｌｉｎｋ  ＤＲＡＭ、「ＳＬＤＲＡＭ」と略称する）及びダイレクトメモリバスランダムアクセスメモリ（Ｄｉｒｅｃｔ  Ｒａｍｂｕｓ  ＲＡＭ、「ＤＲ  ＲＡＭ」と略称する）を含むが、それらに限定されない。注意すべきなのは、本明細書に記載のシステムと方法のメモリはこれら及びほかの適切なタイプのメモリを含むが、それらに限定されない。
【０１８６】
また、本明細書では、用語「システム」と「ネットワーク」は常に交換可能に使用されている。本明細書では、用語「及び／又は」は、関連対象の関係のみを示し、３種の関係が存在することを示し、たとえば、Ａ及び／又はＢの場合、Ａのみが存在すること、ＡとＢが同時に存在すること、Ｂのみが存在することという３種の状況を含む。また、本明細書では、文字「／」は、一般にその前後の関連対象が「又は」の関係であることを示す。
【０１８７】
理解すべきなのは、本発明の実施例では、「Ａに対応するＢ」はＢとＡが関連付けられ、Ａに応じてＢを決定することを示す。しかし、Ａに応じてＢを決定するとは、Ａのみに応じてＢを決定することを意味せず、Ａ及び／又はほかの情報に応じてＢを決定するようにしてもよいと理解できる。
【０１８８】
当業者であれば、本明細書に開示されている実施例を参照して説明される各例のユニット及びアルゴリズムのステップは、電子ハードウェア、又はコンピュータソフトウェアと電子ハードウェアの組合せによって実現されると理解できる。これらの機能をハードウェアで実行するかソフトウェアで実行するかは、技術案の特定の応用と設計制約条件に決められる。当業者は説明した機能を、特定の応用ごとに異なる方法で実現できるが、このような実現は本発明の範囲に属する。
【０１８９】
当業者であれば、説明の簡潔さと便宜上、上記システム、装置及びユニットの具体的な動作プロセスは、上記方法の実施例の対応したプロセスを参照すればよく、ここで重複説明を省略すると理解できる。
【０１９０】
本発明に係るいくつかの実施例では、開示されているシステム、装置及び方法は、ほかの形態によって実現できると理解できる。たとえば、上記装置の実施例は例示的なものであり、たとえば、前記ユニットの分割はロジック機能の分割に過ぎず、実際の実施時、別の分割方式を採用してもよく、たとえば、複数のユニット又は要素を組み合わせたり別のシステムに集積したりし、又は一部の特徴を無視したり実行しなかったりする。また、表示又は検討される相互結合又は直接結合又は通信接続はいくつかのインタフェース、装置又はユニットの間接結合又は通信接続であってもよく、電気的、機械的又はほかの形態としてもよい。
【０１９１】
前記分離部材として説明されるユニットは物理的に分離したものであってもよく物理的に分離したものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じてその一部又はすべてのユニットを選択して本実施例の技術案の目的を実現できる。
【０１９２】
また、本発明の各実施例による各機能ユニットは１つの処理ユニットに集積されてもよく、各ユニットが個別物理的に存在してもよく、２つ又は２つ以上のユニットが１つのユニットに集積されてもよい。
【０１９３】
前記機能はソフトウェア機能ユニットの形態で実現され且つ独立した製品で販売又は使用する場合、コンピュータ可読記憶媒体に記憶できる。このような理解に基づき、本発明の技術案は本質的に又は従来技術に貢献する部分又は該技術案の一部はソフトウェア製品の形態で具体化でき、該コンピュータソフトウェア製品は記憶媒体に記憶され、コンピュータ装置（パーソナルコンピュータ、サーバ、又はネットワーク装置等）に本発明の各実施例に係る方法のすべて又は一部のステップを実行させる複数の命令を含む。上記記憶媒体は、Ｕディスク、モバイルディスク、読み出し専用メモリ（Ｒｅａｄ−Ｏｎｌｙ  Ｍｅｍｏｒｙ、「ＲＯＭ」と略称する）、ランダムアクセスメモリ（Ｒａｎｄｏｍ  Ａｃｃｅｓｓ  Ｍｅｍｏｒｙ、「ＲＡＭ」と略称する）、磁気ディスク又は光ディスクなどプロクラムコードを記憶できる様々な媒体を含む。
【０１９４】
以上、本発明の実施形態を説明したが、本発明の保護範囲を限定するものではない。当業者が本発明に開示されている技術的範囲を逸脱せずに容易に想到し得る変更や置換はすべて、本発明の保護範囲に属する。従って、本発明の保護範囲は特許請求の範囲の保護範囲に定められる。
【図１】
2019530993.tif 000003
【図２】
2019530993.tif 000004
【図３】
2019530993.tif 000005
【図４】
2019530993.tif 000006
【図５】
2019530993.tif 000007
【図６】
2019530993.tif 000008
【図７】
2019530993.tif 000009
【図８】
2019530993.tif 000010
【図９】
2019530993.tif 000011
【図１０】
2019530993.tif 000012
【図１１】
2019530993.tif 000013
【図１２】
2019530993.tif 000014
【図１３】
2019530993.tif 000015
【図１４】
2019530993.tif 000016
【図１５】
2019530993.tif 000017
【図１６】
2019530993.tif 000018
【図１７】
2019530993.tif 000019
【図１８】
2019530993.tif 000020
【手続補正書】
【提出日】令和1年7月22日(2019.7.22)
【手続補正１】
【補正対象書類名】明細書
【補正対象項目名】００１７
【補正方法】変更
【補正の内容】
【００１７】
第３態様によれば、ネットワーク装置を提供し、該ネットワーク装置は上記第１態様及び種々の実施形態に係るデータ伝送方法のネットワーク装置によって実行される各プロセスを実行することに適用できる。該ネットワーク装置は、前記データを伝送するためのヌメロロジーを決定し、且つ前記データを伝送するためのターゲットバンドを決定し、前記ターゲットバンドは前記データを伝送するための伝送バンド及びガードバンドを含むプロセッサと、前記プロセッサにより決定された、前記ヌメロロジー及び前記ターゲットバンドの情報を含む前記設定情報を前記端末装置に送信する送受信機と、を備え、送受信機はさらに、前記プロセッサにより決定された前記ヌメロロジーに基づき、前記プロセッサにより決定された前記伝送バンドで前記端末装置の送信した前記データを受信し又は前記端末装置に前記データを送信する。
【手続補正２】
【補正対象書類名】明細書
【補正対象項目名】００３７
【補正方法】変更
【補正の内容】
【００３７】
第１０態様によれば、データ伝送方法を提供し、端末装置は、ネットワーク装置の送信した設定情報を受信し、前記設定情報は前記データを伝送するためのヌメロロジー、前記データを伝送するための伝送バンド、及び前記ヌメロロジーに対応するフィルタリング方式を含むステップ、前記端末装置は前記フィルタリング方式に基づき前記データを処理し、且つ前記ヌメロロジーに基づき、前記伝送バンドで前記ネットワーク装置に処理済みの前記データを送信するステップ、又は前記端末装置は前記ヌメロロジーに基づき、前記ネットワーク装置の送信した前記データを受信し、且つ前記フィルタリング方式に基づき、受信した前記データを処理するステップ、を含む。
【手続補正３】
【補正対象書類名】明細書
【補正対象項目名】００４１
【補正方法】変更
【補正の内容】
【００４１】
第１１態様によれば、端末装置を提供し、該端末装置は上記第１０態様及び種々の実施形態に係るデータ伝送方法の端末装置によって実行される各プロセスを実行することに適用できる。該端末装置は伝送モジュールを備え、伝送モジュールは、ネットワーク装置の送信した設定情報を受信し、前記設定情報は前記データを伝送するためのヌメロロジー、前記データを伝送するための伝送バンド、及び前記ヌメロロジーに対応するフィルタリング方式を含み、前記フィルタリング方式に基づき前記データを処理し、且つ前記ヌメロロジーに基づき、前記伝送バンドで前記ネットワーク装置に処理済みの前記データを送信し、又は前記ヌメロロジーに基づき、前記ネットワーク装置の送信した前記データを受信し、且つ前記フィルタリング方式に基づき、受信した前記データを処理する。
【手続補正４】
【補正対象書類名】明細書
【補正対象項目名】００４２
【補正方法】変更
【補正の内容】
【００４２】
第１２態様によれば、端末装置を提供し、該端末装置は上記第１０態様及び種々の実施形態に係るデータ伝送方法の端末装置によって実行される各プロセスを実行することに適用できる。該端末装置は送受信機を備え、送受信機は、ネットワーク装置の送信した設定情報を受信し、前記設定情報は前記データを伝送するためのヌメロロジー、前記データを伝送するための伝送バンド、及び前記ヌメロロジーに対応するフィルタリング方式を含み、前記フィルタリング方式に基づき前記データを処理し、且つ前記ヌメロロジーに基づき、前記伝送バンドで前記ネットワーク装置に処理済みの前記データを送信し、又は前記ヌメロロジーに基づき、前記ネットワーク装置の送信した前記データを受信し、且つ前記フィルタリング方式に基づき、受信した前記データを処理する。
【手続補正５】
【補正対象書類名】明細書
【補正対象項目名】００６７
【補正方法】変更
【補正の内容】
【００６７】
具体的には、該ターゲットバンドの情報は該ガードバンドの帯域幅をさらに含む。５Ｇシステムにおいて同一キャリアで異なるヌメロロジーをサポートするため、該ガードバンドの帯域幅は異なるヌメロロジーに基づくデータ伝送に使用されるバンドをカバーする必要がある。従って、ネットワーク装置１０は該ガードバンドの帯域幅を決定する時、ネットワーク装置１０がサポートする最小キャリア間隔を単位とする。図３を例に、該通信システムは１５ｋＨｚと３０ｋＨｚのこれら２種のサブキャリア間隔をサポートし、ネットワーク装置１０は該ガードバンドの帯域幅を決定する際に、１５ｋＨｚを基本単位とすべきであり、つまり、該ガードバンドの帯域幅は１５ｋＨｚの整数倍で且つターゲットバンドの帯域幅未満とすべきである。該ガードバンドがターゲットバンドの低周波側と高周波側に同時に位置すれば、低周波側に位置するガードバンドの帯域幅と高周波側に位置するガードバンドの帯域幅はともに１５ｋＨｚの整数倍であるべきである。
【手続補正６】
【補正対象書類名】明細書
【補正対象項目名】０１３０
【補正方法】変更
【補正の内容】
【０１３０】
プロセッサ８１０は具体的には、前記データを伝送するためのヌメロロジーを決定し、且つ前記データを伝送するためのターゲットバンドを決定し、前記ターゲットバンドは前記データを伝送するための伝送バンド及びガードバンドを含む。送受信機８２０は、前記プロセッサにより決定された、前記ヌメロロジー及び前記ターゲットバンドの情報を含む前記設定情報を前記端末装置に送信し、前記プロセッサにより決定された前記ヌメロロジーに基づき、前記プロセッサにより決定された前記伝送バンドで前記端末装置の送信した前記データを受信し又は前記端末装置に前記データを送信する。
【手続補正７】
【補正対象書類名】特許請求の範囲
【補正対象項目名】全文
【補正方法】変更
【補正の内容】
【特許請求の範囲】
【請求項１】
データ伝送方法であって、
ネットワーク装置は、データを伝送するためのヌメロロジーを決定し、且つ前記データを伝送するためのターゲットバンドを決定し、前記ターゲットバンドは前記データを伝送するための伝送バンド及びガードバンドを含むステップと、
前記ネットワーク装置は、前記ヌメロロジー及び前記ターゲットバンドの情報を含む設定情報を端末装置に送信するステップと、
前記ネットワーク装置は、前記ヌメロロジーに基づき、前記伝送バンドで前記端末装置の送信した前記データを受信し又は前記端末装置に前記データを送信するステップと、を含むことを特徴とするデータ伝送方法。
【請求項２】
前記ターゲットバンドの情報は前記ターゲットバンドの開始位置と終了位置、前記ガードバンドの帯域幅、及び前記ターゲットバンドにおける前記ガードバンドの位置を含み、
前記ターゲットバンドにおける前記ガードバンドの位置は、前記ガードバンドが前記ターゲットバンドの低周波側及び／又は高周波側に位置することを含み、
前記ガードバンドの帯域幅は前記ネットワーク装置がサポートする最小サブキャリア間隔の整数倍であることを特徴とする請求項１に記載の方法。
【請求項３】
前記ターゲットバンドの情報は前記ターゲットバンドの開始位置と終了位置、及び前記ガードバンドの開始位置と終了位置を含むことを特徴とする請求項１に記載の方法。
【請求項４】
前記ヌメロロジーはサブキャリア間隔を含むことを特徴とする請求項１〜３のいずれか一項に記載の方法。
【請求項５】
前記ネットワーク装置が前記データを伝送するためのヌメロロジーを決定することは、
前記ネットワーク装置は予め定義された複数のヌメロロジーのうち前記データを伝送するための前記ヌメロロジーを決定するステップを含むことを特徴とする請求項１〜４のいずれか一項に記載の方法。
【請求項６】
データ伝送方法であって、
端末装置は、ネットワーク装置の送信した設定情報を受信し、前記設定情報はデータを伝送するためのヌメロロジー及びターゲットバンドの情報を含み、前記ターゲットバンドは前記データを伝送するための伝送バンド及びガードバンドを含むステップと、
前記端末装置は、前記ヌメロロジーに基づき、前記伝送バンドで前記ネットワーク装置に前記データを送信し又は前記ネットワーク装置の送信した前記データを受信するステップと、を含むことを特徴とするデータ伝送方法。
【請求項７】
前記ターゲットバンドの情報は前記ターゲットバンドの開始位置と終了位置、前記ガードバンドの帯域幅、及び前記ターゲットバンドにおける前記ガードバンドの位置を含むことを特徴とする請求項６に記載の方法。
【請求項８】
前記ターゲットバンドの情報は前記ターゲットバンドの開始位置と終了位置、及び前記ガードバンドの開始位置と終了位置を含むことを特徴とする請求項６に記載の方法。
【請求項９】
前記ターゲットバンドにおける前記ガードバンドの位置は、前記ガードバンドが前記ターゲットバンドの低周波側及び／又は高周波側に位置することを含むことを特徴とする請求項７又は８に記載の方法。
【請求項１０】
前記ガードバンドの帯域幅は前記ネットワーク装置がサポートする最小サブキャリア間隔の整数倍であることを特徴とする請求項６〜９のいずれか一項に記載の方法。
【請求項１１】
前記設定情報は前記ヌメロロジーに対応するフィルタリング方式をさらに含み、前記端末装置が前記ヌメロロジーに基づき、前記伝送バンドで前記ネットワーク装置に前記データを送信し又は前記ネットワーク装置の送信した前記データを受信することは、
前記端末装置は前記フィルタリング方式に基づき前記データを処理し、且つ前記ヌメロロジーに基づき、前記ターゲットバンドで前記ネットワーク装置に処理済みの前記データを送信するステップ、又は
前記端末装置は前記ヌメロロジーに基づき、前記ネットワーク装置の送信した前記データを受信し、且つ前記フィルタリング方式に基づき、受信した前記データを処理するステップを含むことを特徴とする請求項６〜１０のいずれか一項に記載の方法。
【請求項１２】
前記フィルタリング方式は、ベースバンドフィルタのタイプ、前記ベースバンドフィルタのパラメータ、使用されるフィルタリング波形、及び前記フィルタリング波形のパラメータのうちの少なくとも１種を含むことを特徴とする請求項１１に記載の方法。
【請求項１３】
前記ヌメロロジーはサブキャリア間隔を含むことを特徴とする請求項６〜１２のいずれか一項に記載の方法。
【請求項１４】
コードを記憶するメモリと、
前記メモリに記憶される前記コードを実行し、前記コードを実行する時に、請求項１〜５のいずれか一項に記載の方法を実行するプロセッサとを備えることを特徴とするネットワーク装置。
【請求項１５】
コードを記憶するメモリと、
前記メモリに記憶される前記コードを実行し、前記コードを実行する時に、請求項１〜５のいずれか一項に記載の方法を実行するプロセッサとを備えることを特徴とする端末装置。
【国際調査報告】
2019530993.tif 000021
2019530993.tif 000022
2019530993.tif 000023
2019530993.tif 000024
2019530993.tif 000025
2019530993.tif 000026
2019530993.tif 000027